(57)【特許請求の範囲】
【請求項１】
栽培容器内で植物を栽培する方法において、
前記栽培容器内で栽培中の植物の根元や根圏の培土と根を吸引によって所望量除去し、
前記除去により前記植物の根の一部を切断する、
ことを特徴とする栽培方法。
【請求項２】
請求項１記載の栽培方法において、
栽培容器内の植物の根を所望の位置で予め切断し、
前記切断された根を培土とともに吸引によって所望量除去する、
ことを特徴とする栽培方法。
【請求項３】
請求項１又は請求項２記載の栽培方法において、
吸引により生じた空間に任意の培土を補充し、
前記培土を補充した栽培容器内で栽培を行う、
ことを特徴とする栽培方法。
【請求項４】
請求項１又は請求項２記載の栽培方法において、
吸引により生じた空間を維持して植物の根が栽培容器の内壁に接触しないようにし、当該植物の根圏外周が空気に接した状態で栽培を行う、
ことを特徴とする栽培方法。
【発明の詳細な説明】
【技術分野】
【０００１】
本発明は、果物や野菜（果菜）、花卉をはじめとする各種植物の栽培方法に関する。
【背景技術】
【０００２】
果菜や花卉などの植物は、鉢などの栽培容器や圃場で栽培される。本件出願人は、植物の栽培に使用する栽培容器と当該栽培容器を用いて植物を栽培する栽培方法について特許出願を行い、特許権を取得した（特許文献１）。この特許発明の栽培容器は、栽培容器内に主根張室と副根張室を設けたものであり、副根張室内の土壌を入れ替えることによって、植物の発根を促進させるようにしたものである。
【先行技術文献】
【特許文献】
【０００３】
【特許文献１】特許第５６７４７０２号公報
【発明の概要】
【発明が解決しようとする課題】
【０００４】
前記特許文献１記載の栽培容器では、副根張室内の培土を入れ替えて根を刺激することで、発根を促進することができる。他方で、主根張室内の培土の入れ替えを行うことはできないため、主根張室内の培土の入れ替えはできない。また、前記栽培容器を用いた栽培方法では、副根張室内の培土を取り出すために、副根張室の外壁を取り外す等の手間が必要であるため、この点については改善の余地がある。
【０００５】
本発明の解決課題は、植物の根を刺激することで発根を効果的に促進することのできる栽培方法を提供することにある。
【課題を解決するための手段】
【０００６】
本発明の栽培方法は、栽培容器や圃場で栽培中の植物の周囲の培土を吸引によって除去するとともに、当該植物の根の一部を切断して、植物の発根を促す栽培方法である。吸引するだけでは断根が困難な場合には、培土の吸引前に刃物等で断根しておくこともできる。培土を吸引によって除去した後は、吸引によって生じた空間に新たな培土を補充して栽培することも、新たな培土を補充せずに、空間を維持したまま栽培をすることもできる。
【発明の効果】
【０００７】
（１）吸引によって栽培中の植物の周囲の培土を除去するので、栽培容器内で根詰まりすることがなく、根詰まりによる各種弊害が一掃される。
（２）吸引や切断によって適度に根を切断（根切り）するので、新たな根の発育（発根）が促進される。
（３）培土の除去後に新たな培土に入れ替えるので、根圏の環境改善を図ることができ、根に酸素のほか、窒素等の栄養素が効果的に供給され、新たな根の発育が促進される。
（４）吸引によって培土を除去する方法であるため、培土の除去範囲の自由度が高く、植物の根元付近や根圏の培土を吸引することで、根元付近や根圏の培土の入れ替えや断根を行うことができる。
（５）一つの栽培容器内で培土の入れ替えと断根を繰り返すため、従来の栽培方法に比して長い期間、一つの栽培容器での栽培を継続することができ、苗寿命がのびる。
（６）吸引するだけで根鉢を崩すことができるため、困難であり且つ多大な労力のかかる根鉢を崩す作業を、容器から植物を抜取ることなく効率よく簡単に行うことができる。
（７）培土の吸引によって生じた空間に新たな培土を補充せずに、空間を維持したまま栽培する場合、根鉢が形成されにくく、酸素のほか、窒素等の栄養素が植物に行きわたりやすくなる。また、根鉢が形成されることによって生じる根腐れなどを防止することができる。
【図面の簡単な説明】
【０００８】
【図１】本発明の栽培方法の第一の例を示すもの。
【図２】本発明の栽培方法の第二の例を示すもの。
【図３】本発明の栽培方法の第三の例を示すもの。
【発明を実施するための形態】
【０００９】
（実施形態１）
本発明の第一の栽培方法を、図１を参照して説明する。この実施形態の栽培方法は、栽培容器１内で植物２を栽培する場合の例である。この栽培方法は、図１に示すように、栽培容器１内で栽培中の植物２（ＳＴＥＰ１）の周囲の培土３を吸引によって除去するとともに、当該植物２の根４の一部を切断してこれを除去し、除去した培土３の代わりに新たな培土（本願において「新培土」という）５を補充して栽培を行う方法である。以下では、栽培方法を、吸引によって培土３を除去するとともに、植物２の根４の一部を切断してこれを除去する工程（培土除去工程：ＳＴＥＰ２及びＳＴＥＰ３）と、除去した培土３の代わりに新培土５を補充する工程（新培土補充工程：ＳＴＥＰ４）と、新培土補充後に栽培を行う工程（栽培工程：ＳＴＥＰ５）とに分けて説明する。
【００１０】
［培土除去工程］
前記培土除去工程（ＳＴＥＰ２及びＳＴＥＰ３）は、植物栽培中の栽培容器１内から吸引によって所望量の培土３を除去するとともに、植物２の根４の一部を切断してこれを除去する工程である。培土３の除去及び断根は部分的に行うことも、全面的に行うこともできる。植物２への過度な刺激を避けるため、全面的に行う場合も、複数回に分けて段階的に行うのが望ましい。例えば、根４が詰まりやすい栽培容器１の内壁寄りの培土３（内壁に接触する培土３）を除去することで、根詰まりや根詰まりに伴う弊害を防止でき、培土３の表面部分を除去することで、表面に発生した苔や雑草、ゴミ（花びらや葉）を除去してこれらの発生に伴う弊害を防止することができる。培土３の除去には既存の又は新規の吸引装置Ｖを用いることができる。
【００１１】
［新培土補充工程］
前記新培土補充工程（ＳＴＥＰ４）は、前記培土除去工程で除去した培土３の代わりに新培土５を補充する工程である。新培土５には所望の構成のものを用いることができ、元の培土３と物理的構成や肥料成分構成が同一のものや、物理的構成や肥料成分構成が異なるものを用いることができる。また、補充する新培土５の量は任意に調整することができ、除去した元の培土３の量より多くても少なくてもよく、同量であってもよい。新培土５の補充は元の培土３を除去したあとすぐに行うことも、元の培土３の除去後数時間から数日程度時間をあけてから行うこともできる。いずれの場合も、新培土５には多くの空気（特に酸素）を含ませるのが望ましい。
【００１２】
［栽培工程］
前記栽培工程（ＳＴＥＰ５）は、新培土５が補充された栽培容器１内で植物２を栽培する工程である。前記新培土補充工程で補充された新培土５により根圏環境が改善され、新培土５で植物２を栽培することで、植物の生育が活性化される。
【００１３】
［断根工程］
前記説明では、培土除去工程において、吸引によって培土３の除去と根４の切断の双方を行う場合を一例としているが、栽培する植物２の種類や成長度合いによっては、吸引だけでは断根が難しい場合がある。この場合には、培土３の吸引前に、刃物６などによって断根を行っておくのが好ましい。培土除去工程の前にこの工程（断根工程：ＳＴＥＰ１ａ）を入れることによって、根４の生育を確実に促進することができる。
【００１４】
以後、培土除去工程（ＳＴＥＰ２及びＳＴＥＰ３）、新培土補充工程（ＳＴＥＰ４）、栽培工程（ＳＴＥＰ５）を所望回数、所望期間をかけて繰り返し行う。この場合も、断根工程（ＳＴＥＰ１ａ）は必要に応じて行うことができる。
【００１５】
（実施形態２）
本発明の第二の栽培方法を、図２を参照して説明する。この実施形態の栽培方法の基本的な構成は実施形態１と同様である。異なるのは、培土除去工程（ＳＴＥＰ２及びＳＴＥＰ３）で培土３を除去したのち、新培土５を充填することなく、栽培容器１と培土３との間に空間Ｓを維持した状態、すなわち、根圏の外周が空気に接した状態で栽培を行い、残った培土３の外周に根鉢が形成されないようにする点にある。
【００１６】
培土３が栽培容器１の内壁に接している場合、その内壁に沿って根４が展伸して根鉢が形成される。根鉢が形成されると、酸素等の栄養素が植物に行きわたりにくくなり、場合によっては根腐れを生じることがある。本実施形態のように、根圏の外周が空気に接した状態で栽培を行い、残った培土３の外周に根鉢が形成されないようにすることで、このような弊害を防止することができる。なお、本実施形態のように、根圏の外周が空気に接した状態で栽培を行う場合、根鉢は形成されないが、この場合も、残った培土３の全般又は略全般に根４を張らせて形崩れしないようにするのが好ましい。
【００１７】
（参考例）
本発明の参考例を、図３を参照して説明する。この参考例の栽培方法は、圃場で植物２を栽培する場合の例である。この栽培方法は、図３に示すように、圃場（ＳＴＥＰ１１）に植えられている植物２の根４の一部を切断し、当該切断した根４を含む培土３を吸引によって所望量除去し、除去した培土３の代わりに新培土５を圃場に補充し、その新培土５を用いて栽培を行う方法である。以下では、栽培方法を、培土３を掘削するとともに植物２の根４の一部を切断する工程（掘削断根工程：ＳＴＥＰ１１ａ）と、培土３を除去する工程（培土除去工程：ＳＴＥＰ１２）と、除去した培土３の代わりに新培土５を補充する工程（新培土補充工程：ＳＴＥＰ１３）と、新培土５の補充後に栽培を行う工程（栽培工程：ＳＴＥＰ１４）とに分けて説明する。
【００１８】
［掘削断根工程］
前記掘削断根工程（ＳＴＥＰ１１ａ）は、培土３の一部を掘削するとともに、植物２の根４の一部を切断する工程である。培土３の掘削と根４の切断によって根４に刺激を与え、発根を促進することができる。この参考例では、畝７の一部とその畝７の側方の通路８を掘削することによって、通路８まで展伸した根４を切断している。掘削及び断根は、通路８部分のみ行うことも、畝７部分のみ行うことも、通路８と畝７の双方について行うこともできる。掘削には、既存の耕運機やシャベル６等を用いることができる。なお、掘削しなくても培土３を除去できる場合には、本工程は省略することができる。
【００１９】
［培土除去工程］
前記培土除去工程（ＳＴＥＰ１２）は、圃場の培土３及び切断された根４を吸引によって除去する工程である。この工程では、前記掘削断根工程において掘削した通路８部分の培土と畝７部分の培土を除去する。培土３が柔らかい場合等吸引可能な場合には、掘削していない培土（例えば、畝７の表面の培土）等を除去することもできる。実施形態１の場合同様、培土３の除去及び断根は部分的に行うことも、全面的に行うこともできる。植物２への過度な刺激を避けるため、全面的に行う場合も、複数回に分けて段階的に行うのが望ましい。なお、前記掘削断根工程を省略する場合には、培土除去工程において、培土３の除去と根４の切断を並行して行うことができる。培土３の除去には既存の又は新規の吸引装置Ｖを用いることができる。
【００２０】
［新培土補充工程］
前記新培土補充工程（ＳＴＥＰ１３）は、前記培土除去工程で除去した培土３の代わりに新培土５を補充する工程である。新培土５には所望の構成のものを用いることができ、元の培土３と物理的構成や肥料成分構成が同一のものや、物理的構成や肥料成分構成が異なるものを用いることができる。また、補充する新培土５の量は任意に調整することができ、除去した元の培土３の量より多くても少なくてもよく、同量であってもよい。新培土５の補充は元の培土３を除去したあとすぐに行うことも、元の培土３の除去後数時間から数日程度時間をあけてから行うこともできる。いずれの場合も、新培土５には多くの空気（特に酸素）を含ませるのが望ましい。
【００２１】
［栽培工程］
前記栽培工程（ＳＴＥＰ１４）は、新培土５が補充された圃場で植物２を栽培する工程である。前記新培土補充工程で補充された新培土５により根圏環境が改善され、新培土５で植物２を栽培することで、植物２の生育が活性化される。
【００２２】
以後、掘削断根工程、培土除去工程、新培土補充工程、栽培工程を所望回、所望期間をかけて繰り返し行う。この場合も、掘削断根工程は適宜省略することができる。
【産業上の利用可能性】
【００２３】
本発明の栽培方法は、各種植物２の栽培に用いることのできる方法であるが、特に、果菜や花卉或いはこれらの苗など、栽培容器や圃場で栽培される植物の栽培に好適に用いることができる。果菜の場合、ナスやトマト、ピーマンといったナス科の植物の栽培に特に好適に用いることができる。花卉の場合、多年草の栽培に特に好適に用いることができる。また、本発明の栽培方法は、ブルーベリー、ラズベリー、ミカン、リンゴ、柿、レモン、 キンカンといった各種果樹の栽培にも用いることができる。
【符号の説明】
【００２４】
１      栽培容器
２      植物
３      培土
４      根
５      新培土
６      刃物（耕運機、シャベル）
７      畝
８      通路
Ｓ      空間
Ｖ      吸引装置
【図１】
0006431504.tif 000002
【図２】
0006431504.tif 000003
【図３】
0006431504.tif 000004